(57)【特許請求の範囲】
【請求項１】
１つの空気清浄器本体（１０）にはフィルタ挿入口（１３）が設けられ、該フィルタ挿入口（１３）は、前記空気清浄器本体（１０）の前面にサイズの異なる少なくとも２種類のフィルタ（１１，１２）の形状にそれぞれ対応した形状の挿入口が形成され、該各挿入口が互いに重なり又は交差していて、
前記空気清浄器本体（１０）にサイズの異なる少なくとも２種類のフィルタ（１１，１２）を個別に搭載可能としたことを特徴とする空気清浄器のフィルタ搭載構造。
【請求項２】
１つの空気清浄器本体（１０）にはフィルタ挿入口（１３）が設けられ、該フィルタ挿入口（１３）は、前記空気清浄器本体（１０）の前面に機能の異なる少なくとも２種類のフィルタ（１１，１２）の形状にそれぞれ対応した形状の挿入口が形成され、該各挿入口が互いに重なり又は交差していて、
前記空気清浄器本体（１０）に機能の異なる少なくとも２種類のフィルタ（１１，１２）を個別に搭載可能としたことを特徴とする空気清浄器のフィルタ搭載構造。
【請求項３】
１つの空気清浄器本体（１０）にはフィルタ挿入口（１３）が設けられ、該フィルタ挿入口（１３）は、前記空気清浄器本体（１０）の前面にサイズ及び機能がそれぞれ異なる少なくとも２種類のフィルタ（１１，１２）の形状にそれぞれ対応した形状の挿入口が形成され、該各挿入口が互いに重なり又は交差していて、
前記空気清浄器本体（１０）にサイズ及び機能がそれぞれ異なる少なくとも２種類のフィルタ（１１，１２）を個別に搭載可能としたことを特徴とする空気清浄器のフィルタ搭載構造。
【請求項４】
前記少なくとも２種類のフィルタ（１１，１２）は高さが同じで、幅がそれぞれ異なることを特徴とする請求項１、２又は３に記載の空気清浄器のフィルタ搭載構造。
【請求項５】
前記少なくとも２種類のフィルタ（１１，１２）は蓋（１４）と一体である蓋付きフィルタであることを特徴とする請求項１、２又は３に記載の空気清浄器のフィルタ搭載構造。
【請求項６】
前記空気清浄器本体（１０）には、フィルタ挿入口（１３）を開閉可能とする蓋（１４）が設けられたことを特徴とする請求項１、２又は３に記載の空気清浄器のフィルタ搭載構造。
【発明の詳細な説明】
【０００１】
【発明の属する技術分野】
本発明は空気清浄器のフィルタ搭載構造に関する。詳しくは、車両に用いられ空気中の汚れ物質を除去し清浄化する空気清浄器において、１つの空気清浄器本体に複数のサイズ又は機能の異なるフィルタを個別に搭載可能とした空気清浄器のフィルタ搭載構造に関する。
【０００２】
【従来の技術】
従来の車両用の空気清浄器には、脱臭フィルタを用いた空気清浄器と光脱臭機能付きフィルタを用いた空気清浄器とがある。これらは図９に示すように、フィルタのサイズが異なれば、空気清浄器本体もそのフィルタ挿入口形状の異なるものが用いられていた。例えば、図９（ａ）のフィルタ１は、図９（ｂ）のフィルタ２に対して高さＨは低く、幅Ｗは大きい。これに伴って、（ａ）図の空気清浄器本体３のフィルタ挿入口４と（ｂ）図の空気清浄器本体５のフィルタ挿入口６との形状及び大きさは異なるものとなっている。
【０００３】
【発明が解決しようとする課題】
上記のような従来の車両用の空気清浄器では、フィルタのサイズが異なる毎に異なる空気清浄器本体が必要であり、製造及び部品管理にコストが掛かるという問題があった。
【０００４】
本発明は上記従来の問題点に鑑み、車両に用いられている空気清浄器において、サイズまたは機能が異なったフィルタに対しても共通して収容することができる空気清浄器のフィルタ搭載構造を実現することを目的とする。
【０００５】
【課題を解決するための手段】
上記目的を達成するため、本発明の請求項１乃至３においては、１つの空気清浄器本体１０にはフィルタ挿入口１３が設けられ、該フィルタ挿入口１３は、空気清浄器本体１０の前面にサイズ又は機能或いはサイズ及び機能がそれぞれ異なる少なくとも２種類のフィルタ１１，１２の形状にそれぞれ対応した形状の挿入口が形成され、該挿入口が互いに重なり又は交差しているものであって、請求項１では、１つの空気清浄器本体１０にサイズの異なる少なくとも２種類のフィルタ１１，１２を個別に搭載可能とし、請求項２では、１つの空気清浄器本体１０に機能の異なる少なくとも２種類のフィルタ１１，１２を個別に搭載可能とし、請求項３では、１つの空気清浄器本体１０にサイズ及び機能がそれぞれ異なる少なくとも２種類のフィルタ１１，１２を個別に搭載可能としたことを特徴とする。また、請求項４は、前記少なくとも２種類のフィルタ１１，１２は高さが同じで、幅がそれぞれ異なることを特徴とする。また、請求項５は、前記少なくとも２種類のフィルタ１１，１２は蓋１４と一体である蓋付きフィルタであることを特徴とする。また、請求項６は、前記空気清浄器本体１０には、フィルタ挿入口１３を開閉可能とする蓋１４が設けられたことを特徴とする。
【０００６】
この構成を採ることにより、車両に用いられている空気清浄器において、サイズまたは機能が異なったフィルタに対しても共通して収容することができる空気清浄器のフィルタ搭載構造が得られる。
【０００７】
【発明の実施の形態】
図１乃至図３は本発明の空気清浄器のフィルタ搭載構造の第１の実施の形態を示す図で、図１は空気清浄器本体をサイズの異なる２種のフィルタと共に示す斜視図、図２は空気清浄器本体に第１のフィルタを挿入した状態を示す断面図、図３は空気清浄器本体に第２のフィルタを挿入した状態を示す断面図である。
【０００８】
図１乃至図３において、符号１０は空気清浄器本体、１１は第１のフィルタ、１２は第２のフィルタ、１３はフィルタ挿入口である。そして、第１のフィルタ１１と第２のフィルタ１２は互いに大きさが異なっている。即ち、第１のフィルタ１１の高さをＨ1 、幅をＷ1 とし、第２のフィルタ１２の高さをＨ2 、幅をＷ2 としたとき、Ｈ1＜Ｈ2 、Ｗ1＞Ｗ2 となっている。
【０００９】
また空気清浄器本体１０は第１のフィルタ１１及び第２のフィルタ１２を個別に収容できるようにそのフィルタ挿入口１３は凸形をなしている。そして、フィルタ挿入口１３の寸法は底部の幅が第１のフィルタ１１の幅Ｗ1 と等しく、その高さは第１のフィルタ１１の高さＨ1 と等しい。また、フィルタ挿入口１３の上部の幅は第２のフィルタ１２の幅Ｗ2 と等しく、低部からの高さは第２のフィルタ１２の高さＨ2 と等しい。このように形成された空気清浄器本体１０は第１のフィルタ１１及び第２のフィルタ１２を同時に収容することはできないが、個別に収容することができるようになっている。
【００１０】
なお、前記第１のフィルタ１１と第２のフィルタ１２とはサイズが異なるのみでなく機能も異なるものでも良い。また、図４の如く、空気清浄器本体１０のフィルタ挿入口１３には、蓋１４を設けても良い。このように蓋１４を設けることにより外観を向上することができる。なお、前記フィルタには塵・埃・花粉等の粒子状物質を除去する除塵フィルタや、汚染物質、特に有害ガス・悪臭ガス等を除去する各種活性炭や各種吸着剤または各種触媒等を含んだ脱臭フィルタ、及び両者を混合したフィルタ等が適応可能である。
【００１１】
また、除塵フィルタを構成する濾材は不織布でもエレクトレット繊維濾材であっても適応可能で、又はウレタンフォームの如く発泡材でも適応可能である。また、活性炭は破砕炭、球状炭等が適応可能であり、吸着剤は酸性吸着、塩基性吸着等が適応可能である。また吸着剤を活性炭に添着しても良く、触媒はＴｉＯ2等各種金属化合物の光触媒や、白金担持系の常温触媒等が適応可能である。
【００１２】
このように構成された本実施の形態は、空気清浄器本体１０が１型で２種のフィルタが共通使用可能となり型費が半減するのみならず、１品番、１型管理となるので品番削減が可能となり型管理費、品番管理費等各種管理費の低減を図ることができ、コストダウンが可能となる。
【００１３】
図５は本発明の空気清浄器のフィルタ搭載構造の第２の実施の形態を示す図で、その空気清浄器本体１０は同図の如く、サイズが異なるのみでなく機能の異なる２種類のフィルタを個別に搭載可能である。この時フィルタは、例えば第１のフィルタ１１は光脱臭用光源１５と組み合わせて用いる光脱臭機能付フィルタで、第２フィルタ１２は汚染物質、特に有害ガス・悪臭ガス等を除去する脱臭フィルタ、または塵・埃・花粉等粒子状物質等を除去するものでも適用可能である。
【００１４】
また、光源１５を使用しない各種活性炭や各種吸着剤または各種触媒を含んだ脱臭フィルタ、及び両者を混合したフィルタ等でも適応可能である。なお、図６は、空気清浄器本体１０に第１のフィルタ１１と光源１５を搭載した例を示した図で（ａ）は正面図、（ｂ）は（ａ）図のｂーｂ線断面図である。このようにフィルタ１１と光源１５とを同時に搭載することもできる。
【００１５】
図７（ａ）〜（ｇ）は本発明の空気清浄器のフィルタ搭載構造の第３の実施の形態における空気清浄器本体の複数例を示す図で、それぞれフィルタ挿入口１３の形状を変化させたものである。同図において（ａ）図はフィルタ挿入口１３を逆凸字状にしたもの、（ｂ）図は上下に凸部を有するもの、（ｃ）図及び（ｄ）図は２つの矩形挿入口を交差させたもの、（ｅ）図は凸字状の上部にさらに凸部を設けたもの、（ｆ）図は（ｅ）図を逆にしたもの、（ｇ）図は（ｆ）図を上下対称に重ねたものである。
【００１６】
このように形成された各空気清浄器本体１０において、（ａ）（ｂ）図に示したものは、高さ及び幅がそれぞれ異なる２種類のフィルタに対応することができ、また（ｃ）及び（ｄ）図に示したものは、共に高さは同一で幅が異なる２種類のフィルタに対応することができ、（ｅ）（ｆ）及び（ｇ）図に示したものは、高さ及び幅がそれぞれ異なる３種類のフィルタ対応することができる。なお、この時のフィルタは前記第１の実施の形態と同様のものが適用可能である。
【００１７】
図８は本発明の空気清浄器のフィルタ搭載構造の第４の実施の形態を示す図で、（ａ）は斜視図、（ｂ）は（ａ）図のｂーｂ線における断面図である。本実施の形態のフィルタは図に示すように一端に蓋１４を設けたもので、余分な空間が見えないようにして、外観を良好にすると共に塵埃などの侵入を防止することができる。
【００１８】
【発明の効果】
本発明の空気清浄器のフィルタ搭載構造に依れば、車両に用いられている空気清浄器において、１つの空気清浄器本体に、サイズ又は機能の異なるフィルタを個別に搭載可能としたことにより、空気清浄器本体が１型で複数種のフィルタを共通使用可能となり、型費が半減するのみならず、１品番、１型管理となるので品番削減が可能となり型管理費、品番管理費等各種管理費の低減を図ることができ、コストダウンが可能となる。
【図面の簡単な説明】
【図１】本発明の空気清浄器のフィルタ搭載構造の第１の実施の形態を示す図である。
【図２】本発明の空気清浄器のフィルタ搭載構造の第１の実施の形態の空気清浄器本体に第１のフィルタを挿入した状態を示す図で、(ａ)は正面図、（ｂ）は(ａ)図のｂーｂ線における断面図である。
【図３】本発明の空気清浄器のフィルタ搭載構造の第１の実施の形態の空気清浄器本体に第２のフィルタを挿入した状態を示す図で、(ａ)は正面図、（ｂ）は(ａ)図のｂーｂ線における断面図である。
【図４】本発明の空気清浄器のフィルタ搭載構造の第１の実施の形態の空気清浄器本体のフィルタ挿入口に蓋を設けた状態を示す図で、(ａ)は斜視図、（ｂ）は(ａ)図のｂーｂ線における断面図である。
【図５】本発明の空気清浄器のフィルタ搭載構造の第２の実施の形態を示す図である。
【図６】本発明の空気清浄器のフィルタ搭載構造の第２の実施の形態における空気清浄器本体に第１のフィルタと光源を搭載した状態を示す図で、（ａ）は正面図、（ｂ）は（ａ）図のｂーｂ線断面図である。
【図７】本発明の空気清浄器のフィルタ搭載構造の第３の実施の形態における空気清浄器本体の複数例を示す図である。
【図８】本発明の空気清浄器のフィルタ搭載構造の第４の実施の形態を示す図で、(ａ)は斜視図、（ｂ）は(ａ)図のｂーｂ線における断面図である。
【図９】従来の空気清浄器のフィルタ搭載構造を示す図である。
【符号の説明】
１０…空気清浄器本体
１１…第１のフィルタ
１２…第２のフィルタ
１３…フィルタ挿入口
１４…蓋
１５…光源
【図１】
0003874674.tif 000002
【図２】
0003874674.tif 000003
【図３】
0003874674.tif 000004
【図４】
0003874674.tif 000005
【図５】
0003874674.tif 000006
【図６】
0003874674.tif 000007
【図７】
0003874674.tif 000008
【図８】
0003874674.tif 000009
【図９】
0003874674.tif 000010